(57)【要約】【課題】ワイヤレス式ヘッドホンシステムにおいて、送信機と受信機の位置関係が逆の場合に送信機と受信機間の無線伝送距離が離れることや、人体を含む障害物の影響により、受信機の受信感度が下がる。しかし、ヘッドホンの左右のユニットを反転させることにより、受信機を送信機に近づけることができるが、左チャンネルのオーディオ信号、右チャンネルのオーディオ信号をそれぞれ左耳、右耳に入力することができるようにする。【解決手段】オーディオ信号の左チャンネルのオーディオ信号と、右チャンネルのオーディオ信号を切り替える手段を有することにより、ヘッドホン装置を受信感度が上がるように任意に装着することが可能となる。【選択図】図３
2007006074.tif 000002
【特許請求の範囲】
【請求項１】
第１のスピーカを有する第１のスピーカユニットと、
第２のスピーカを有する第２のスピーカユニットと、
無線伝送信号を受信するアンテナと、
前記無線伝送信号を左チャンネルのオーディオ信号と右チャンネルのオーディオ信号に復調する受信処理部と、
第１のモードと第２のモードを切り替える左右信号切替部とを備え、
前記第１のモードでは、左チャンネルのオーディオ信号を前記第１のスピーカに送り、かつ、右チャンネルのオーディオ信号を前記第１のスピーカに送り、
前記第２のモードでは、右チャンネルのオーディオ信号を前記第１のスピーカに送り、かつ、左チャンネルのオーディオ信号を前記第１のスピーカに送る
ヘッドホン装置。
【請求項２】
使用者が装着した際に、前記第１のスピーカユニットが左右どちらの耳に装着されているかを検知する左右検知手段を有し、
前記左右検知手段の検知結果に基づき、前記第１のモードと前記第２のモードを切り替える請求項１に記載のヘッドホン装置。
【請求項３】
前記左右検知手段が前記第１のスピーカユニットは左耳に装着されていると検知した場合に前記第１のモードを選択し、
前記左右検知手段が前記第１のスピーカユニットは右耳に装着されていると検知した場合に前記第２のモードを選択する請求項２に記載のヘッドホン装置。
【請求項４】
前記第１のスピーカユニットは、使用者の頭部に装着された際に使用者の耳に当接することにより変位する接耳部材を備え、
前記接耳部材の変位により前記第１のモードと前記第２のモードを切り替える請求項１に記載のヘッドホン装置。
【請求項５】
前記接耳部材の変位は、回転である請求項４に記載のヘッドホン装置。
【請求項６】
前記アンテナは、前記第１のスピーカユニットおよび前記第１のスピーカユニットのいずれか一方に備えられている請求項１から５のいずれかに記載のヘッドホン装置。
【請求項７】
請求項１から６のいずれかに記載のヘッドホン装置と、
左チャンネルのオーディオ信号および右チャンネルのオーディオ信号を無線伝送信号にて発信する発信装置とを備えるワイヤレス式ヘッドホンシステム。
【発明の詳細な説明】
【技術分野】
【０００１】
本発明は、無線伝送信号によってオーディオ信号を受信するヘッドホン装置、および、当該ヘッドホン装置とオーディオ信号を無線伝送信号にて発信する発信装置からなるワイヤレス式ヘッドホンに関するものである。
【背景技術】
【０００２】
従来より、光ディスク、半導体メモリ、ハードディスク等の記録媒体に記録された音楽データを音声信号に変換するオーディオプレーヤー（以下、プレーヤーと称す）とヘッドホンとの間を無線通信により通信を行うワイヤレス式プレーヤーが提案されている。
【０００３】
図８は、従来のワイヤレス式プレーヤーの概略構成図である。ワイヤレス式プレーヤーはプレーヤー８１０と、ヘッドホン装置８２０とを備える。
【０００４】
プレーヤー８１０において、再生時、記録媒体（図示せず）から左および右チャンネルのオーディオ信号Ｌ、Ｒが再生され、これらの信号Ｌ、Ｒが所定のキャリア周波数の無線伝送信号ＳＬ、ＳＲに変換され、この信号ＳＬ、ＳＲがヘッドホン装置８２０へ送信される。
【０００５】
ヘッドホン装置８２０は、左右それぞれの耳に対応するスピーカユニット８２１Ｌ、８２１Ｒを備えている。また、モバイル性能を高めるために、受信機８２２を左右の音響ユニット８２１Ｌ、８２１Ｒのいずれか一方に備えている。そして、受信機８２２においては、プレーヤー８１０からの無線伝送信号ＳＬ、ＳＲが受信されると、この信号ＳＬ、ＳＲから左および右チャンネルのオーディオ信号Ｌ、Ｒが復調され、これらの信号Ｌ、Ｒがヘッドホン装置８２０の左右のスピーカユニット８２１Ｌ、８２１Ｒにそれぞれ供給される。
【０００６】
このワイヤレス式プレーヤーによれば、例えば通勤の電車の中などで音楽を聴く場合、プレーヤー８１０はカバンやバッグなどに入れておき、ヘッドホン装置８２０を装着することにより、コードがじゃまになることなく音楽を楽しむことができる。
【０００７】
なお、この出願の発明に関する先行技術文献情報としては、例えば特許文献１、特許文献２が知られている。
【特許文献１】特開２０００−３３９７９３号公報
【特許文献２】特開平７−２８３７５０号公報
【発明の開示】
【発明が解決しようとする課題】
【０００８】
しかしながら、従来のワイヤレス式プレーヤーにおいては、以下の課題を有している。  
【０００９】
従来のヘッドホン装置８２０においては、左耳用のスピーカユニット８２１Ｌに左チャンネルのオーディオ信号Ｌを、右耳用のスピーカユニット８２１Ｒに右チャンネルのオーディオ信号Ｒを常に供給する。したがって、使用者は、左耳用のスピーカユニット８２１Ｌを左耳に、右耳用のスピーカユニット８２１Ｒを右耳にそれぞれ装着する。
【００１０】
受信機８２２はヘッドホン装置８２０に内蔵されている。そのため、使用者がヘッドホン装置８２０を頭部に装着した場合、頭部と受信機の位置関係は固定されてしまう。したがって、プレーヤー８１０の位置によって、プレーヤー８１０とヘッドホン装置８２０の間の通信に用いられる電波または電磁波の通信経路に、誘電体である頭部等の使用者の人体が介在してしまう場合がある。この場合、通信に用いられる電波または電磁波が弱められてしまい、通信状態が悪化するという課題がある。
【００１１】
本発明は、無線通信状態を良好に保つことができるヘッドホン装置、および、プレーヤー等の送信装置とヘッドホン装置との無線通信状態を良好に保つことができるワイヤレス式ヘッドホンシステムを提供することを目的とする。
【課題を解決するための手段】
【００１２】
上記目的のうち１つは、以下のヘッドホン装置によって実現される。
【００１３】
第１のスピーカを有する第１のスピーカユニットと、
第２のスピーカを有する第２のスピーカユニットと、
無線伝送信号を受信するアンテナと、
前記無線伝送信号を左チャンネルのオーディオ信号と右チャンネルのオーディオ信号に復調する受信処理部と、
第１のモードと第２のモードを切り替える左右信号切替部とを備え、
前記第１のモードでは、左チャンネルのオーディオ信号を前記第１のスピーカに送り、かつ、右チャンネルのオーディオ信号を前記第１のスピーカに送り、
前記第２のモードでは、右チャンネルのオーディオ信号を前記第１のスピーカに送り、かつ、左チャンネルのオーディオ信号を前記第１のスピーカに送る
ヘッドホン装置。
【００１４】
上記目的のうち１つは、以下のワイヤレス式ヘッドホンシステムによって実現される。
【００１５】
上記ヘッドホン装置と、
左チャンネルのオーディオ信号および右チャンネルのオーディオ信号を無線伝送信号にて発信する発信装置とを備えるワイヤレス式ヘッドホンシステム。
【発明の効果】
【００１６】
本発明によれば、無線通信状態を良好に保つことができるヘッドホン装置、および、プレーヤー等の送信装置とヘッドホン装置との無線通信状態を良好に保つことができるワイヤレス式ヘッドホンシステムを提供することが可能となる。
【発明を実施するための最良の形態】
【００１７】
以下、本発明に係る実施の形態について、図面を参照しながら説明する。
【００１８】
（実施の形態１）
本発明の実施の形態１について図１から図３を用いて説明する。
【００１９】
図１は、実施の形態１に係るワイヤレス式ヘッドホンシステムの概略構成図である。
【００２０】
本実施の形態に係るワイヤレス式ヘッドホンシステムは、半導体メモリからオーディオ信号を再生する再生装置１１０と、ヘッドホン装置１２０の２つのユニットで構成される。再生装置１１０からヘッドホン装置１２０へのオーディオ信号の伝送は、所定のキャリア周波数の電磁波を使用した無線伝送で行う。
【００２１】
図２は、再生装置１１０の構成を示すブロック図である。再生装置１１０は、オーディオ再生部１１と、オーディオ処理部１２と、送信処理部１３と、アンテナ１４と、コントローラ１５と、キー操作部１６とを備える。再生装置１１０の使用時には、音楽データが記録された半導体メモリ１７が通信可能に装着される。
【００２２】
オーディオ再生部１１は、半導体メモリ１７からの音楽データをもとに、左耳用の音声信号である左チャンネルのオーディオ信号（以下、左チャンネルオーディオ信号と称す）および右耳用の音声信号である右チャンネルオーディオ信号（以下、右チャンネルオーディオ信号と称す）からなる２チャンネルのオーディオ信号を再生する。このオーディオ再生部１１が再生により出力する２チャンネルのオーディオ信号は、オーディオ処理部１２に供給される。
【００２３】
オーディオ処理部１２は、設定された音質などに基づいて２チャンネルのオーディオ信号に所定の処理を行う。例えば低域音を強調する処理などが行われる。オーディオ処理部１２で処理された２チャンネルのオーディオ信号は、送信処理部１３に供給される。
【００２４】
送信処理部１３は、左チャンネルオーディオ信号を所定のキャリア周波数に設定された左チャンネル伝送信号に変換し、右チャンネルオーディオ信号を所定のキャリア周波数に設定された右チャンネル伝送信号に変換する。そして、左チャンネル伝送信号ＳＬおよび右チャンネル伝送信号ＳＲをアンテナから無線伝送信号ＳＬ、ＳＲとして送信させる。
【００２５】
なお、無線伝送信号ＳＬ、ＳＲとしては、左チャンネル伝送信号ＳＬと右チャンネル伝送信号ＳＲとで、使用する周波数を変えてある。また、伝送するチャンネルとしては、キャリア周波数の異なるチャンネルを複数用意してあり、ユーザが混信の少ないチャンネルを選択できるようにしてある。
【００２６】
オーディオ再生部１１、オーディオ処理部１２、送信処理部１３の動作は、コントローラ１５により制御される。コントローラ１５は、使用者がキー操作部１６により行った操作の内容を操作指示として受け、オーディオ再生部１１、オーディオ処理部１２、送信処理部１３に所定の制御信号を送る。
【００２７】
なお、この再生装置１１０には、２次電池などの電源が内蔵させてあり、各構成はその電源により駆動する。
【００２８】
図３は、ヘッドホン装置の構成を示すブロック図である。ヘッドホン装置１２０は、アンテナ２１と、受信処理部２２と、オーディオ処理部２３と、左右信号切替部２４と、左右切替指示部２５と、アンプ２６と、ボリューム指示部２７と、第１のスピーカ１２２Ａと、第２のスピーカ１２２Ｂを備える。
【００２９】
受信処理部２２は、アンテナ２１を介して左チャンネル伝送信号ＳＬおよび右チャンネル伝送信号ＳＲを受信する。この場合、使用者によるスイッチ（図示せず）の操作で、再生装置１１０から送信するチャンネルと同じ受信チャンネルを設定する。また、受信処理部２２は、左チャンネル伝送信号ＳＬを左チャンネルオーディオ信号に復調し、右チャンネル伝送信号ＳＲを右チャンネルオーディオ信号に復調する。左チャンネルオーディオ信号および右チャンネルオーディオ信号からなる２チャンネルのオーディオ信号は、オーディオ処理部２３に供給される。
【００３０】
オーディオ処理部２３は、２チャンネルのオーディオ信号に再生のための所定の処理を施す。処理された２チャンネルのオーディオ信号は、左右信号切替部２４に供給される。
【００３１】
ヘッドホン装置１２０は、第１のモードと第２のモードの２種類のモードを備えている。第１のモードでは、左チャンネルオーディオ信号を第１のスピーカ１２２Ａに送り、右チャンネルオーディオ信号を第２のスピーカ１２２Ｂに送る。第２のモードでは、右チャンネルオーディオ信号を第１のスピーカ１２２Ａに送り、左チャンネルオーディオ信号を第２のスピーカ１２２Ｂに送る。第１のモードと第２のモードとでは、第１のスピーカ１２２Ａおよび第２のスピーカ１２２Ｂに送るオーディオ信号のチャンネルが左右反対となっている。
【００３２】
使用者は、左右切替指示部２５により第１のモードと第２のモードのいずれかを選択する。左右切替指示部２５は、選択されたモードが第１のモードと第２のモードのいずれであるかを左右信号切替部２４に指示する。
【００３３】
左右信号切替部２４は、左右切替指示部２５からの指示に基づき以下の処理を行う。すなわち、第１のモードが選択された場合、左チャンネルオーディオ信号を第１のオーディオ信号としてアンプ２６に送り、右チャンネルオーディオ信号を第２のオーディオ信号としてアンプ２６に送る。また、第２のモードが選択された場合、右チャンネルオーディオ信号を第１のオーディオ信号としてアンプ２６に送り、左チャンネルオーディオ信号を第２のオーディオ信号としてアンプ２６に送る。
【００３４】
アンプ２６は、ボリューム指示部２７からの指示に基づき第１のオーディオ信号および第２のオーディオ信号を増幅する。増幅された第１のオーディオ信号は第１のスピーカ１２２Ａに送られ、第２のオーディオ信号は第２のスピーカ１２２Ｂに送られる。
【００３５】
第１のスピーカ１２２Ａは、第１のオーディオ信号を音声に変換し出力する。また、第２のスピーカ１２２Ｂは、第２のオーディオ信号を音声に変換し出力する。
【００３６】
なお、ヘッドホン装置１２０は、図１に示すように、第１のスピーカユニット１２１Ａと第２のスピーカユニット１２１Ｂがアーム１２３で支持された構成である。第１のスピーカユニット１２１Ａには第１のスピーカ１２２Ａが備えられ、また、第２のスピーカユニット１２１Ｂには第２のスピーカ１２２Ｂが備えられている。
【００３７】
第１のスピーカユニット１２１Ａと第２のスピーカユニット１２１Ｂは、アーム１２３内部に設けられたケーブル（図示せず）で接続されている。そして、アンテナ２１、受信処理部２２、オーディオ処理部２３、左右信号切替部２４、左右切替指示部２５、アンプ２６、ボリューム指示部２７は、第１のスピーカユニット１２１Ａに配置されている。なお、左右切替スイッチ１２５が左右切替指示部２５に相当し、ボリュームつまみ１２４がボリューム指示部２７に相当する。
【００３８】
他方のユニットである第２のスピーカユニット１２１Ｂには、このヘッドホン装置１２０を駆動させる電源としての２次電池（図示せず）を配置してある。
【００３９】
また、ヘッドホン装置１２０が備えるアンテナ２１としては、セラミックチップに、導体膜を設けたいわゆるチップアンテナを使用している。
【００４０】
以下、本実施の形態に係るワイヤレス式ヘッドホンシステム１００について、使用の一例をもとにその動作を説明する。
【００４１】
まず、使用者がヘッドホン装置１２０を頭部に装着し、再生装置１１０をバッグの中に入れ、バッグを右手で持っている状態を考える。使用者は、第１のスピーカユニット１２１Ａが左耳側に位置するようにヘッドホン装置１２０を装着し、左右切替スイッチ１２５にて第１のモードを選択している。この場合、再生装置１１０のアンテナ１４と第１のスピーカユニット１２１Ａ内部のアンテナ２１の間の通信経路に、誘電体である頭部等の使用者の人体が介在する。この場合、通信に用いられる電磁波が弱められてしまい、無線通信状態が悪化する。
【００４２】
このとき、使用者は、ヘッドホン装置１２０を頭部より外し、第１のスピーカユニット１２１Ａと第２のスピーカユニット１２１Ｂを入れ替えて再度装着する。そして、左右切替スイッチ１２５によりモードを第２のモードへ切り替える。これにより、再生装置１１０のアンテナ１４と第１のスピーカユニット１２１Ａ内部のアンテナ２１がともに使用者の右側に配置されるため、無線伝送距離が近づき、また、人体を含む障害物の影響を受けにくいため、無線通信状態が改善される。
【００４３】
以上のように、本実施の形態に係るワイヤレス式ヘッドホンシステムおよびヘッドホン装置によれば、再生装置１１０とヘッドホン装置１２０との通信状態を良好に保つことができる。
【００４４】
なお、上述した実施の形態では、半導体メモリ１７からオーディオ信号を再生する再生装置１１０に適用したが、同様のオーディオ信号を再生する携帯用の再生装置１１０であれば、他の記録媒体から再生する装置にも適用できることは勿論である。
【００４５】
また、上述した実施の形態における再生装置１１０が本発明の発信装置に相当する。発信装置としてはこの他にも、オーディオ信号を再生する据え置き型の再生装置１１０であってその内部に無線伝送信号ＳＬ、ＳＲを発信するアンテナ等の発信手段を有するものや、外部の再生装置１１０等からオーディオ信号を受け取り無線伝送信号ＳＬ、ＳＲに変換して発信する発信装置などが適用可能である。
【００４６】
また、ヘッドホン装置１２０のアンテナ２１は、第１のスピーカユニット１２１Ａに配置してあるとしたが、これに限られず、第２のスピーカユニット１２１Ｂに配置してもよい。
【００４７】
また、左右切替スイッチ１２５は、第１のスピーカユニット１２１Ａ、第２のスピーカユニット１２１Ｂのいずれか一方及び両方にあってもよい。
【００４８】
また、無線伝送に電磁波を用いたが、電波、赤外線を用いてもよい。電波および赤外線も通信経路に誘電体が介在することで通信状態が悪化する性質をもっているが、上述の構成とすることでこれらの課題を同様に解決することが可能である。
【００４９】
また、ヘッドホン装置１２０において、左右信号切替部２４は、オーディオ信号処理部２３の直後に限られず、受信処理部２２から第１、第２のスピーカ１２２Ａ、１２２Ｂまでの任意の位置に配置可能である。
【００５０】
（実施の形態２）
本発明の実施の形態２について図４から図７を用いて説明する。なお、各図において同様の構成、および、実施の形態１と同様の構成には同じ符号を付し、その説明を省略する。
【００５１】
実施の形態２に係るワイヤレス式ヘッドホンシステムの再生装置１１０およびヘッドホン装置２２０の構成を示すブロック図は、実施の形態１と同様である。実施の形態１と異なる点は、ヘッドホン装置２２０の左右切替指示部２５が左右切替スイッチ１２５ではなく、前記第１のスピーカユニットが左右どちらの耳に装着されているかを検知する左右検知手段である点である。
【００５２】
図４は、実施の形態２に係るワイヤレス式ヘッドホンシステムの概略構成図である。また、図５（ａ）は実施の形態２に係るヘッドホン装置の切断面Ｄの位置を示す図、図５（ｂ）は実施の形態２に係るヘッドホン装置の切断面Ｄによる断面図である。
【００５３】
回転軸２２３は棒状の部材であり、第１のスピーカの前面と平行である。また、回転軸２２３は、ヘッドホン装置が使用者の頭部に装着される際に第１のスピーカ２２２Ａの中心と第２のスピーカ２２２Ｂの中心と頭部の頂点を含む面と平行である。回転軸２２３は、第１のスピーカユニット基台２２５に固定される。
【００５４】
切断面Ｄは、回転軸２２３に直交し、かつ、第１のスピーカ２２２Ａの中心を含む面である。
【００５５】
第１のスピーカ２２２Ａは、スピーカ基台２２４に固定されている。スピーカ基台２２４は、回転軸２２３を中心に所定の角度だけ回転する。また、スピーカ基台２２４には、金属棒２２６が固定されており、金属棒２２６はスピーカ基台２２４とともに回転軸２２３を中心に所定の角度だけ回転する。
【００５６】
第１の接点２２７ａおよび第２の接点２２７ｂは、第１のスピーカユニット基台２２５に設けられている。第１の接点２２７ａは、スピーカ基台２２４が基準位置よりも右へ回転した際に金属棒２２６と接するように配置される。また、第２の接点２２７ｂは、スピーカ基台２２４が基準位置よりも左へ回転した際に金属棒２２６と接するように配置される。なお、基準位置は、スピーカ基台２２４の第１のスピーカ２２２Ａが設置される面が、第１のスピーカ２２２Ａの中心と第２のスピーカ２２２Ｂの中心とを結ぶ線と直交する位置である。本実施の形態では、基準位置は、第１のスピーカ２２２Ａの前面が、第１のスピーカ２２２Ａの中心と第２のスピーカ２２２Ｂの中心とを結ぶ線と直交する位置でもある。また、回転方向は、ヘッドホン装置２２０が使用者の頭部に装着される際に頭部の頂点が位置する側から見た方向である。
【００５７】
第１の接点２２７ａおよび第２の接点２２７ｂはそれぞれ金属棒２２６との接触を検知する。これにより、スピーカ基台２２４の変位である回転を検知する。第１の接点２２７ａと金属棒２２６の接触が検知されると、第１のモードが選択され、また、第２の接点２２７ｂと金属棒２２６の接触が検知されると、第２のモードが選択される。
【００５８】
なお、金属棒２２６、第１の接点２２７ａおよび第２の接点２２７ｂがブロック図の左右切替指示部２５に相当する。また、本実施の形態の回転軸２２３、スピーカ基台２２４、金属棒２２６、第１の接点２２７ａおよび第２の接点２２７ｂが、本発明の左右検知手段に相当する。また、本実施の形態のスピーカ基台２２４が本発明の接耳部材に相当する。
【００５９】
以下、本実施の形態に係るワイヤレス式ヘッドホンシステム２００について、使用の一例をもとにその動作を説明する。
【００６０】
まず、使用者がヘッドホン装置２２０を頭部に装着し、再生装置１１０をバッグの中に入れ、バッグを右手で持っている状態を考える。使用者は、第１のスピーカユニット２２１Ａが左耳側に位置するようにヘッドホン装置２２０を装着している。
【００６１】
図６（ａ）は、使用者が第１のスピーカユニットが左耳側に位置するようにヘッドホン装置を装着している状態を頭部の頂点側から見た模式図、図６（ｂ）は、第１のスピーカユニットが左耳側に位置する際の切断面Ｄによる断面図である。
【００６２】
装着時、ヘッドパッド２２８は使用者の耳３１Ｌ、３１Ｒを覆うようにして頭部に当接する。また、スピーカ基台２２４は、使用者の左耳３１Ｌに当接する。人間の耳３１Ｌ、３１Ｒは、左右ともに顔の前方に向かって傾いている。したがって、スピーカ基台２２４は、使用者の左耳３１Ｌの傾きに応じて、回転軸２２３を中心に基準位置よりも右へ回転する。そして、金属棒２２６は第１の接点２２７ａと接する。
【００６３】
このとき、ヘッドホン装置２２０は、第１のモードが選択される。そして、使用者の左耳３１Ｌに位置する第１のスピーカ２２２Ａにて左チャンネルオーディオ信号が放音され、使用者の右耳３１Ｒに位置する第２のスピーカ２２２Ｂにて右チャンネルオーディオ信号が放音される。
【００６４】
一方この場合、再生装置１１０のアンテナ１４と第１のスピーカユニット２２１Ａ内部のアンテナ２１の間の通信経路に、誘電体である頭部等の使用者の人体が介在する。この場合、通信に用いられる電磁波が弱められてしまい、無線通信状態が悪化する。
【００６５】
このとき、使用者は、ヘッドホン装置２２０を頭部より外し、第１のスピーカユニット２２１Ａと第２のスピーカユニット２２１Ｂを入れ替えて再度装着する。これにより、再生装置１１０のアンテナ１４と第１のスピーカユニット２２１Ａ内部のアンテナ２１がともに使用者の右側に配置されるため、無線伝送距離が近づき、また、人体を含む障害物の影響を受けにくいため、無線通信状態が改善される。
【００６６】
また一方で、使用者がヘッドホン装置２２０を頭部より外し、第１のスピーカユニット２２１Ａと第２のスピーカユニット２２１Ｂを入れ替えて再度装着すると、第１のモードと第２のモードもまた自然と切り替わる。
【００６７】
図７（ａ）は、使用者が第１のスピーカユニットが右耳側に位置するようにヘッドホン装置を装着している状態を頭部の頂点側から見た模式図、図７（ｂ）は、第１のスピーカユニットが右耳側に位置する際の切断面Ｄによる断面図である。
【００６８】
装着時、スピーカ基台２２４は、使用者の右耳３１Ｒに当接する。人間の耳３１Ｌ、３１Ｒは、左右ともに顔の前方に向かって傾いている。したがって、スピーカ基台２２４は、使用者の右耳３１Ｒの傾きに応じて、回転軸２２３を中心に基準位置よりも左へ回転する。そして、金属棒２２６は第２の接点２２７ｂと接する。
【００６９】
これにより、ヘッドホン装置２２０は、第１のモードから第２のモードへと切り替わり、第２のモードが選択される。そして、使用者の左耳３１Ｌに位置する第２のスピーカ２２２Ｂにて左チャンネルオーディオ信号が放音され、使用者の右耳３１Ｒに位置する第１のスピーカ２２２Ａにて右チャンネルオーディオ信号が放音される。
【００７０】
以上のように、本実施の形態に係るワイヤレス式ヘッドホンシステム２００およびヘッドホン装置２２０によれば、再生装置１１０とヘッドホン装置との通信状態を良好に保つことができる。また、第１のスピーカユニットが左右どちらの耳に装着されているかを自動的に検知し、当該検知結果に基づいて自動的に前記第１のモードと前記第２のモードを切り替えることができるので、左右異なる耳に音声が届けられるのを防ぎ、左右の耳に送るべき音声を届けることが可能となる。
【００７１】
なお、上述した実施の形態では、オーディオ信号が半導体メモリ１７からオーディオ信号を再生する再生装置１１０に適用したが、同様のオーディオ信号を再生する携帯用の再生装置１１０であれば、他の記録媒体から再生する装置にも適用できることは勿論である。
【００７２】
また、上述した実施の形態における再生装置１１０が本発明の発信装置に相当する。発信装置としてはこの他にも、オーディオ信号を再生する据え置き型の再生装置１１０であってその内部に無線伝送信号ＳＬ、ＳＲを発信するアンテナ等の発信手段を有するものや、外部の再生装置１１０等からオーディオ信号を受け取り無線伝送信号ＳＬ、ＳＲに変換して発信する発信装置などが適用可能である。
【００７３】
また、ヘッドホン装置２２０のアンテナ２１は、第１のスピーカユニット２２１Ａに配置してあるとしたが、これに限られず、第２のスピーカユニット２２１Ｂに配置してもよい。
【００７４】
また、上記左右切替手段の構成は、第１のスピーカユニット、第２のスピーカユニットの両方にあってもよい。
【００７５】
また、無線伝送に電磁波を用いたが、電波、赤外線を用いてもよい。電波および赤外線も通信経路に誘電体が介在することで通信状態が悪化する性質をもっているが、上述の構成とすることでこれらの課題を同様に解決することが可能である。
【００７６】
また、左右信号切替部２４は、オーディオ信号処理部２３の直後に限られず、受信処理部２２から第１、第２のスピーカ２２２Ａ、２２２Ｂまでの任意の位置に配置可能である。
【００７７】
また、本実施の形態では、使用者の耳に当接する部分であるスピーカ基台２２４の回転により左右切替手段を構成したが、第１のスピーカユニットそのものを使用者の耳に当接する構成とし、第１のスピーカユニットの回転により左右切替手段を構成してもよい。
【００７８】
以上の実施の形態は、本発明の一例であり、本発明はこれらに限定されるものではなく、本発明の思想に基づき適宜変形可能である。
【産業上の利用可能性】
【００７９】
本発明は、ヘッドホン装置の左右のユニットを入れ替えても左チャンネルのオーディオ信号は左耳側から右チャンネルのオーディオ信号は右耳側から放音することができる。したがって、ヘッドホン装置を受信感度が上がるように任意に装着することが可能となるため、全ての発信装置との組合せで用いられるワイヤレス式ヘッドホンシステムへの適用が可能である。
【図面の簡単な説明】
【００８０】
【図１】実施の形態１に係るワイヤレス式ヘッドホンシステムの概略構成図
【図２】再生装置の構成を示すブロック図
【図３】ヘッドホン装置の構成を示すブロック図
【図４】実施の形態２に係るワイヤレス式ヘッドホンシステムの概略構成図
【図５】（ａ）実施の形態２に係るヘッドホン装置の切断面Ｄの位置を示す図、（ｂ）実施の形態２に係るヘッドホン装置の切断面Ｄによる断面図
【図６】（ａ）使用者が第１のスピーカユニットが左耳側に位置するようにヘッドホン装置を装着している状態を頭部の頂点側から見た模式図、（ｂ）第１のスピーカユニットが左耳側に位置する際の切断面Ｄによる断面図
【図７】（ａ）使用者が第１のスピーカユニットが右耳側に位置するようにヘッドホン装置を装着している状態を頭部の頂点側から見た模式図、（ｂ）第１のスピーカユニットが右耳側に位置する際の切断面Ｄによる断面図
【図８】従来のワイヤレス式プレーヤーの概略構成図
【符号の説明】
【００８１】
１１  オーディオ再生部
１２  再生装置のオーディオ処理部
１３  送信処理部
１４  再生装置のアンテナ
１５  コントローラ
１６  キー操作部
２１  ヘッドホン装置のアンテナ
２２  受信処理部
２３  ヘッドホン装置のオーディオ処理部
２４  左右信号切替部
２５  左右切替指示部
２６  アンプ
２７  ボリューム指示部
１００、２００  ワイヤレス式ヘッドホンシステム
１１０  再生装置
１２０、２２０  ヘッドホン装置
１２１Ａ、２２１Ａ  第１のスピーカユニット
１２１Ｂ、２２１Ｂ  第２のスピーカユニット
１２２Ａ、２２２Ａ  第１のスピーカ
１２２Ｂ、２２２Ｂ  第２のスピーカ
１２３  アーム
１２４  ボリュームつまみ
１２５  左右切替スイッチ
２２３  回転軸
２２４  スピーカ基台
２２５  第１のスピーカユニット基台
２２６  金属棒
２２７ａ  第１の接点
２２７ｂ  第２の接点
２２８  ヘッドパッド
【図１】
2007006074.tif 000003
【図２】
2007006074.tif 000004
【図３】
2007006074.tif 000005
【図４】
2007006074.tif 000006
【図５】
2007006074.tif 000007
【図６】
2007006074.tif 000008
【図７】
2007006074.tif 000009
【図８】
2007006074.tif 000010